(57)【要約】      （修正有）【課題】２画面表示モードにおいて、２画面の各画面で、リモコンにより、各種の操作を自由にできるようにする。【解決手段】複数の画面を表示するマルチ画面表示装置１００において、前記複数の画面に対応して設けられ、リモコン２００からの操作信号を受信する第１のリモコン受信処理手段１１１と第２のリモコン受信処理手段１１２とを有し、前記リモコンが向けられた画面に対応する受信部で受信された操作信号から操作情報を生成するリモコン受信処理手段１１０を備える。【選択図】図１
2011087204.tif 000002
【特許請求の範囲】
【請求項１】
複数の画面を表示するマルチ画面表示装置であって、
前記複数の画面に対応して設けられ、リモコンからの操作信号を受信する複数数の受信部を有し、リモコンが向けられた画面に対応する受信部で受信された操作情報を生成するリモコン受信処理手段を備え、
前記リモコン受信処理手段で生成された操作情報に基づき、リモコンが向けられた画面の操作が行われることを特徴とするマルチ画面表示装置。
【請求項２】
複数のコンテンツを複数の画面で表示するマルチ画面表示装置であって、
前記複数の画面に対応して設けられ、リモコンからの操作信号を受信する複数の受信部を有し、リモコンが向けられた画面に対応する受信部で受信された操作情報を生成するリモコン受信処理手段と、
前記リモコン受信処理手段で生成された操作情報に基づき、制御情報を生成するリモコン処理手段と、
前記リモコン処理手段で生成された制御情報に基づき、コンテンツ情報を生成するコンテンツ生成手段と、
前記制御情報と、前記コンテンツ情報に基づき、出力画面情報を生成するコンテンツ出力制御手段とを備え、
前記コンテンツ出力制御手段で生成された出力画面情報をリモコンが向けられた画面に出力することを特徴とするマルチ画面表示装置。
【請求項３】
前記リモコン受信処理手段は、複数の受信部で受信されたリモコンからの操作信号の受信レベルが一番大きい受信部を、リモコンが向けられた画面に対応する受信部とすることを特徴とする請求項１または２に記載のマルチ画面表示装置。
【請求項４】
２つの画面を表示するマルチ画面表示装置であって、
前記２つの画面に対応して設けられ、リモコンからの操作信号を受信する２つの受信部を有し、リモコンが向けられた画面に対応する受信部で受信された操作情報を生成するリモコン受信処理手段を備え、
前記リモコン受信処理手段で生成された操作情報に基づき、リモコンが向けられた画面の操作が行われることを特徴とするマルチ画面表示装置。
【請求項５】
２つのコンテンツを２つの画面で表示するマルチ画面表示装置であって、
前記２つの画面に対応して設けられ、リモコンからの操作信号を受信する２つの受信部を有し、リモコンが向けられた画面に対応する受信部で受信された操作情報を生成するリモコン受信処理手段と、
前記リモコン受信処理手段で生成された操作情報に基づき、制御情報を生成するリモコン処理手段と、
前記リモコン処理手段で生成された制御情報に基づき、コンテンツ情報を生成するコンテンツ生成手段と、
前記制御情報と、前記コンテンツ情報に基づき、出力画面情報を生成するコンテンツ出力制御手段とを備え、
前記コンテンツ出力制御手段で生成された出力画面情報をリモコンが向けられた画面に出力することを特徴とするマルチ画面表示装置。
【請求項６】
前記リモコン受信処理手段は、２つの受信部で受信されたリモコンからの操作信号の受信レベルが大きい方の受信部を、リモコンが向けられた画面に対応する受信部とすることを特徴とする請求項４または５に記載のマルチ画面表示装置。
【発明の詳細な説明】
【技術分野】
【０００１】
本発明は、マルチ画面の各画面操作が容易なマルチ画面表示装置に関するものである。
【背景技術】
【０００２】
従来のマルチ画面表示装置の一例として、特開２００６−２９５２８０号公報に開示されたテレビがある。
【０００３】
このテレビでは、２つのテレビ放送番組を主画面と副画面の２つの画面を表示する２画面表示モードで視聴する場合に、リモコンのダイレクトチャンネルキーで主画面のダイレクト選局を行い、リモコンのカーソルキーで副画面の昇降選局を行うことができる。
【０００４】
このように、従来のマルチ画面表示装置では、２画面表示モードにおいて、主画面、副画面の夫々の選局が行うことができ、選局操作対象の画面を選択する必要がない。
【先行技術文献】
【特許文献】
【０００５】
【特許文献１】特開２００６−２９５２８０号公報
【発明の概要】
【発明が解決しようとする課題】
【０００６】
しかしながら、上記従来のマルチ画面表示装置では、２画面表示モードにおいて、主画面での昇降選局、副画面でのダイレクト選局ができず、２画面の各画面で、リモコンで行うことができる操作が制限されてしまう。
【０００７】
そこで、本発明においては、複数画面の画面ごとに、リモコン操作を自由に行うことができるマルチ画面表示装置を提供することを目的とする。
【課題を解決するための手段】
【０００８】
上記目的を達成するために、本発明では、複数の画面を表示するマルチ画面表示装置において、前記複数の画面に対応して設けられ、リモコンからの操作信号を受信する複数の受信部を有し、リモコンが向けられた画面に対応する受信部で受信された操作情報を生成するリモコン受信処理手段を備えるようにし、前記リモコン受信処理手段で生成された操作情報に基づき、リモコンが向けられた画面の操作が行われるようにする。
【０００９】
また、別の本発明では、複数のコンテンツを複数の画面で表示するマルチ画面表示装置において、前記複数の画面に対応して設けられ、リモコンからの操作信号を受信する複数の受信部を有し、リモコンが向けられた画面に対応する受信部で受信された操作情報を生成するリモコン受信処理手段と、前記リモコン受信処理手段で生成された操作情報に基づき、制御情報を生成するリモコン処理手段と、前記リモコン処理手段で生成された制御情報に基づき、コンテンツ情報を生成するコンテンツ生成手段と、前記制御情報と、前記コンテンツ情報に基づき、出力画面情報を生成するコンテンツ出力制御手段とを備えるようにし、前記コンテンツ出力制御手段で生成された出力画面情報をリモコンが向けられた画面に出力するようにする。
【００１０】
なお、前記リモコン受信処理手段は、複数の受信部で受信されたリモコンからの操作信号の受信レベルが一番大きい受信部を、リモコンが向けられた画面に対応する受信部とする。
【発明の効果】
【００１１】
上記手段により、画面ごとにリモコン操作を認識できるので、マルチ画面表示モードにおける画面ごとに、リモコンの全てのキー操作を行うことができる。
【図面の簡単な説明】
【００１２】
【図１】マルチ画面表示装置の構成図である。
【図２】マルチ画面表示装置の外観図である。
【図３】２画面表示装置の第１のコンテンツに対する操作イメージ図である。
【図４】２画面表示装置の第２のコンテンツに対する操作イメージ図である。
【図５】２画面表示装置のリモコン操作に対する処理フロー図である。
【発明を実施するための形態】
【００１３】
以下、本発明の１実施例を説明する。
【実施例１】
【００１４】
図１は、２画面表示装置の構成を示すブロック図である。
【００１５】
１００は２つのコンテンツを視聴可能な２画面表示装置、２００は２画面表示装置を操作するリモコンである。
【００１６】
１１０は、リモコン２００からの赤外線信号を受け、操作情報を生成するリモコン受信処理手段、である。１１１は、第１のリモコン受信処理手段、１１２は、第２のリモコン受信処理手段である。
【００１７】
１２０は、リモコン受信処理手段１１０からの操作情報を受け、２画面表示装置内の各手段に対する制御情報を生成するリモコン処理手段である。
【００１８】
１３０は、リモコン処理手段１２０からの制御情報を受け、視聴するコンテンツ情報を生成するコンテンツ生成手段である。１３１は第１のコンテンツ生成手段、１３２は第２のコンテンツ生成手段である。例えば、デジタルテレビの場合、アンテナ、チューナ、画像デコーダ、音声デコーダ等で構成する。
【００１９】
１４０は、リモコン処理手段１２０からの制御情報と、コンテンツ生成手段１３０からのコンテンツ情報と、を受け、出力画面情報と、出力音声情報と、を生成するコンテンツ出力制御手段である。例えば、デジタルテレビの場合、第１の放送番組と第２の放送番組との映像を横並びにした映像情報を生成し、第１の放送番組と第２の放送番組との音声を、夫々、スピーカ、ヘッドフォン出力するように制御する。
【００２０】
１５０は、コンテンツ出力制御手段１４０からの出力画面情報と出力音声情報とを受け、画面と音声を出力するコンテンツ出力手段である。１５１は表示出力手段、１５２は音声出力手段である。例えば、デジタルテレビの場合、表示出力手段は液晶パネル、音声出力手段はスピーカやヘッドフォンで構成する。
【００２１】
２１０は、２画面表示装置を操作するキー群から成る操作手段である。
【００２２】
２２０は、操作手段２１０のキー操作を受け、２画面表示装置の操作情報を生成する操作情報生成手段である。
【００２３】
２３０は、操作情報生成手段２２０の操作情報を、指向性の高い赤外線信号で送信するリモコン送信処理手段である。
【００２４】
図２は、２画面表示装置の外観図である。
【００２５】
リモコン２００は、２画面表示装置１００の正面から操作する。
【００２６】
表示出力手段１５１は、２画面表示装置１００の前面の略中央に配備する。また、１５１１は、表示出力手段１５１の左側に配置した第１のコンテンツの表示エリア、であり、１５１２は、表示出力手段１５１の右側に配置した第２のコンテンツの表示エリア、である。
【００２７】
第１のリモコン受信処理手段１１１は、２画面表示装置１００の前面の略左下隅に配備する。また、第２のリモコン受信処理手段１１２は、２画面表示装置１００の前面の略右下隅に配備する。
【００２８】
図３は、２画面表示装置の第１のコンテンツに対する操作イメージ図である。
【００２９】
表示出力手段１５１の左側に表示されている第１のコンテンツに対する操作は、２画面表示装置１００の前面の略左下隅に配備した第１のリモコン受信処理手段１１１にリモコン２００を向けることにより行うことができる。
【００３０】
図４は、２画面表示装置の第２のコンテンツに対する操作イメージ図である。
【００３１】
表示出力手段１５１の右側に表示されている第２のコンテンツに対する操作は、２画面表示装置１００の前面の略右下隅に配備した第２のリモコン受信処理手段１１２にリモコン２００を向けることにより行うことができる。
【００３２】
図５は、２画面表示装置のリモコン操作に対する処理フロー図である。
【００３３】
ステップ３１０では、リモコン受信処理手段１１０において、第１のリモコン受信処理手段１１１と第２のリモコン受信処理手段１１２とのうち少なくとも１つの手段が、リモコン２００からの赤外線信号を受信しているかどうかを判定する。判定結果がＹＥＳの場合ステップ３２０へ進み、判定結果がＮＯの場合にはステップ３１０に戻る。
【００３４】
ステップ３２０では、リモコン受信処理手段１１０において、第１のリモコン受信処理手段１１１の赤外線信号受信レベルが第２のリモコン受信処理手段１１２の赤外線信号受信レベル以上であるかどうかを判定する。判定結果がＹＥＳの場合にはステップ３３１へ進み、判定結果がＮＯの場合にはステップ３３２へ進む。
【００３５】
ステップ３３１では、リモコン受信処理手段１１０において、第１のリモコン受信処理手段１１１で受信した赤外線信号から、第１のコンテンツに対する操作情報（例：第１の表示エリアへのダイレクト選局操作情報）を生成する。
【００３６】
ステップ３４１では、リモコン処理手段１２０において、生成された操作情報（例：第１の表示エリアへのダイレクト選局操作情報）から、２画面表示装置内の各手段への制御情報（例：第１の表示エリアへのダイレクト選局制御情報）を生成する。
【００３７】
ステップ３５１では、第１のコンテンツ生成手段１３１が、リモコン処理手段１２０からの制御情報（例：第１の表示エリアへのダイレクト選局制御情報）を受け、視聴するコンテンツ情報（例：第１の表示エリアへのダイレクト選局制御情報に基づいたコンテンツ情報）を生成する。
【００３８】
ステップ３３２では、リモコン受信処理手段１１０において、第２のリモコン受信処理手段１１２で受信した赤外線信号から、第２のコンテンツに対する操作情報（例：第２の表示エリアへのダイレクト選局操作情報）を生成する。
【００３９】
ステップ３４２では、リモコン処理手段１２０において、生成された操作情報（例：第２の表示エリアへのダイレクト選局操作情報）から、２画面表示装置内の各手段への制御情報（例：第２の表示エリアへのダイレクト選局制御情報）を生成する。
【００４０】
ステップ３５２では、第２のコンテンツ生成手段１３２が、リモコン処理手段１２０からの制御情報（例：第２の表示エリアへのダイレクト選局制御情報）を受け、視聴するコンテンツ情報（例：第２の表示エリアへのダイレクト選局制御情報に基づいたコンテンツ情報）を生成する。
【００４１】
なお、本実施例の処理フローは、本発明の特徴である処理に関するものであり、その他処理に関しては、従来技術で実現が可能である。
【００４２】
以上説明してきた実施例においては、２画面表示モードで、操作対象の画面選択操作を行うことなく、第１及び第２のコンテンツエリアの方向にリモコンを向けて操作することで、夫々の画面に対する操作を区別して行える。このため、夫々の画面に対して、リモコンの全てのキー操作が可能になるとともに、夫々の画面に対して、直感的な操作が可能となる。
【００４３】
なお、２つのリモコン受信処理手段を結ぶ直線に対する平行線上に存在する２画面あるいは３画面以上のマルチ画面表示モードにおいて、リモコン赤外線送信の指向性にある程度の広がりがあるものを使用する場合でも、２つのリモコン受信処理手段におけるリモコン信号の受信レベル比を判断することにより、操作対象を判断することが可能となる。
【００４４】
また、２つのリモコン受信処理手段の距離を大きくすることにより、各リモコン受信処理手段におけるリモコン信号受信レベル比の判断が容易になる。
【００４５】
また、リモコンの送信処理手段及び受信処理手段は、指向性のあるものに限らず、指向性のないものを使用してもよい。
【００４６】
また、リモコンの送信処理手段及び受信処理手段は、赤外線に限らず、電波、音波、赤外線以外の光波を使用してもよい。
【００４７】
また、リモコンの操作手段は、キーに限らず、タッチパネル等の他の手段でもよい。
【００４８】
また、リモコン受信処理手段は、表示出力手段と平面上で重なってもよい。
【００４９】
また、全てのリモコン受信処理手段は、マルチ画面表示装置と同一筐体であることに限定するものでなく、１つ以上のリモコン受信処理手段がマルチ画面表示装置と別筐体でもよい。
【００５０】
また、表示するコンテンツは、表示装置内で生成する放送番組に限らず、表示装置や外部接続機器で生成される放送番組、録画番組、電子番組表、各種設定画面、データ放送、インターネット画面、等でもよい。
【００５１】
また、本発明を適用する機器は、デジタルテレビに限らず、パーソナルコンピュータ、携帯電話、各種携帯端末等の他のコンテンツ視聴機器等でもよい。
【符号の説明】
【００５２】
１００  ２画面表示装置
１１０  リモコン受信処理手段
１１１  第１のリモコン受信処理手段
１１２  第２のリモコン受信処理手段
１２０  リモコン処理手段
１３０  コンテンツ生成手段
１３１  第１のコンテンツ生成手段
１３２  第２のコンテンツ生成手段
１４０  コンテンツ出力制御手段
１５０  コンテンツ出力手段
１５１  表示出力手段
１５２  音声出力手段
２００  リモコン
２１０  操作手段
２２０  操作情報生成手段
２３０  リモコン送信処理手段
【図１】
2011087204.tif 000003
【図２】
2011087204.tif 000004
【図３】
2011087204.tif 000005
【図４】
2011087204.tif 000006
【図５】
2011087204.tif 000007